(57)【要約】【課題】  、パーソナルコンピュータ等の電子機器の持ち運びに便利な緩衝装置および緩衝機能付きカバンを提供する。【解決手段】  、緩衝装置１は、バネ２５に取り付けられたフック２７に、パーソナルコンピュータ３７を収容した収容袋３１のトッテ３３を吊り下げる。キャリアバック９が搬送されると、その搬送過程でキャリアバック９に加わった衝撃により、バネ２５が伸縮する。そして、このバネ２５の伸縮により、フック２７に吊り下げられた収容袋３１に加わる衝撃が緩和（軽減）される。緩衝装置１は、キャリアバック９の上面部９ａに着脱可能に装着される。【選択図】  図２
2009277132.tif 000002
【特許請求の範囲】
【請求項１】
カバンに設けられる緩衝装置であって、
前記カバンに対して直接あるいは間接的に取り付けられた弾性体と、
前記カバンに衝撃が加わると前記弾性体の弾性力によって前記衝撃が緩衝されるように前記弾性体あるいは当該弾性体に係合した部材に結合し、電子機器を吊り下げて保持する保持手段と
を有する緩衝装置。
【請求項２】
前記カバンに対して着脱可能に装着される装着部
をさらに有し、
前記弾性体は、前記装着部に設けられている
請求項１に記載の緩衝装置。
【請求項３】
前記装飾部は、前記カバンの上面部が挿入される開口部を備えた略コの字形状を有しており、
前記カバンに装着された状態で下側に位置する前記コの字形状の一辺部に直接あるいは間接的に弾性体が固定され、前記電子機器あるいは当該電子機器を収容した収容体を吊り下げる手段が、前記弾性体を介して前記一辺部に固定されている
請求項２に記載の緩衝装置。
【請求項４】
前記弾性体は、バネあるいはゴムである
請求項１〜３のいずれかに記載の緩衝装置。
【請求項５】
前記弾性体の弾性力を調整する調整手段
をさらに有する請求項１〜４のいずれかに記載の緩衝装置。
【請求項６】
前記保持手段に吊り下げられた前記電子機器を前記カバン内で所定の姿勢で保持するための姿勢保持用弾性体をさらに有し、
前記姿勢保持用弾性体は、その一端が前記カバン内の前記弾性体とは異なる位置に取り付けられ、その他端が前記電子部品あるいは前記電子部品を収容した収容体に取り付けられている
請求項１〜５のいずれかに記載の緩衝装置。
【請求項７】
カバンの内面に対して直接あるいは間接的に取り付けられた弾性体と、
衝撃が加わると前記弾性体の弾性力によって前記衝撃が緩衝されるように前記弾性体あるいは当該弾性体に係合した部材に結合し、カバンの内側で電子機器を吊り下げて保持する保持手段と
を有する緩衝機能付きカバン。
【請求項８】
カバン本体と、
弾性部材と、
トッテと
を有し、
前記トッテは、前記弾性部材を介して前記カバン本体に固定されている
カバン。
【発明の詳細な説明】
【技術分野】
【０００１】
本発明は、搬送時に加わる衝撃を効果的に抑制しながら、カバン内に電子機器を収容できる緩衝装置および緩衝機能付きカバンに関するものである。
【背景技術】
【０００２】
近年、ネットワーク環境が充実すると共に、仕事・プライべートの大量をパーソナルコンピュータに記憶することが多くなり、出張や旅行先にもパーソナルコンピュータを携帯することが多くなった。
このような場合に、キャリアバック内にパーソナルコンピュータを収容すると、振動や衝撃によって故障する可能性があるため、キャリーバックとは別にパーソナルコンピュータをカバン等に収容して携帯することが多い。
【発明の開示】
【発明が解決しようとする課題】
【０００３】
しかしながら、上述したようにキャリーバックとは別にパーソナルコンピュータを携帯すると、荷物の数が増えて不便であると共に、人混みなどで他人とぶつかることでパーソナルコンピュータを落としてしまう可能性があり危険である。
【０００４】
本発明はかかる事情に鑑みてなされたものであり、その目的は、パーソナルコンピュータ等の電子機器の持ち運びに便利な緩衝装置および緩衝機能付きカバンを提供することにある。
【０００５】
【特許文献１】特開２０００−２２２０６７号公報
【課題を解決するための手段】
【０００６】
本発明の緩衝装置は、上述した従来技術の問題点を解決し、上述した目的を達成するために、カバンに対して直接あるいは間接的に取り付けられた弾性体と、前記カバンに衝撃が加わると前記弾性体の弾性力によって前記衝撃が緩衝されるように前記弾性体あるいは当該弾性体に係合した部材に結合し、電子機器を吊り下げて保持する保持手段とを有する。
【０００７】
また、本発明の緩衝装置は、前記カバンに対して着脱可能に装着される装着部をさらに有し、前記弾性体は、前記装着部に設けられている。
【０００８】
また、本発明の緩衝装置の前記装飾部は、前記カバンの上面部が挿入される開口部を備えた略コの字形状を有しており、前記カバンに装着された状態で下側に位置する前記コの字形状の一辺部に直接あるいは間接的に弾性体が固定され、前記電子機器あるいは当該電子機器を収容した収容体を吊り下げる手段が、前記弾性体を介して前記一辺部に固定されている。
【０００９】
また、本発明の緩衝装置の前記弾性体は、バネあるいはゴムである。
【００１０】
また、本発明の緩衝装置は、前記弾性体の弾性力を調整する調整手段をさらに有する。
【００１１】
また、本発明の緩衝装置は、前記保持手段に吊り下げられた前記電子機器を前記カバン内で所定の姿勢で保持するための姿勢保持用弾性体をさらに有し、前記姿勢保持用弾性体は、その一端が前記カバン内の前記弾性体とは異なる位置に取り付けられ、その他端が前記電子部品あるいは前記電子部品を収容した収容体に取り付けられている。
【発明の効果】
【００１２】
本発明によれば、パーソナルコンピュータ等の電子機器の持ち運びに便利な緩衝装置および緩衝機能付きカバンを提供することができる。
【発明を実施するための最良の形態】
【００１３】
以下、本発明の実施形態に係る緩衝装置について説明する。
＜第１実施形態＞
当該実施形態では、最もシンプルな形態を説明する。
図１は、本発明の実施形態に係る緩衝装置１の外観図である。
図１（Ａ）は正面図、図１（Ｂ）は側面図である。
図１に示すように、緩衝装置１は、例えば、第１の部材１１、第２の部材１３、第３の部材１５から構成される略コの字形状をしている。
第３の部材１５は、第１の部材１１と第２の部材１３との間に介在し、これらと直交している。
ここで、第１の部材１１が本発明でいう一辺部の一例であり、バネ２５が本発明の弾性体の一例である。また、パーソナルコンピュータ３７が本発明の電子機器の一例である。
また、フック２７が本発明の保持手段の一例である。
【００１４】
第１の部材１１と第３の部材１５とは平行しており、その間隔は、例えば、キャリアバック９の上面部の厚みと同程度である。ここで、第１の部材１１と第３の部材１５との間に形成される空間が本発明にいう開口部の一例である。
緩衝装置１は、例えば、合成樹脂などで構成され、当該間隔をキャリアバック９の上面部９ａの厚みより多少狭く規定し、指などで押し広げてキャリアバック９の上面部９ａに装着し、指を離すことで、復元力によりキャリアバック９の上面部９ａに安定した状態で固定されるようにしてもよい。
また、第１の部材１１に内周にネジ溝が形成された貫通孔を設け、貫通孔を介してネジをキャリアバック９の上面部９ａに押し付けることで、緩衝装置１をキャリアバック９に安定した状態で固定するようにしてもよい。なお、上記ネジの先端は、キャリアバック９の表面に傷をつけないように、丸まった形状にすることが好ましい。
【００１５】
ユーザは、キャリアバック９の正面側の２つのチャック９ｂ，９ｃをそれぞぞれ端部まで押し下げてキャリアバック９の正面側を開いた状態で、キャリアバック９の上面部９ａに緩衝装置１を装着する。
【００１６】
第２の部材１３とは反対側の第１の部材１１の面には、当該面に直交した２つの凸部２１，２３が対向して固定されている。
凸部２１，２３には、それぞれバネ２５の一端と他端が固定されている。
バネ２５の弾性係数は、キャリアバック９に加えられる想定される衝撃力と、フック２７に吊されげられた被緩衝体（例えば、パーソナルコンピュータ３７）がキャリアバック９内で振動可能は距離に応じて適宜決定される。
【００１７】
バネ２５の長手方向の中央付近には、フック２７が取り付けられている。
なお、バネ２５の長手方向におけるフック２７の取り付け位置は、中央付近には特に限定されない。
フック２７には、パーソナルコンピュータ３７などを収容した収容袋３１のトッテ３３が吊下げられる。
【００１８】
収容袋３１は、パーソナルコンピュータ３７を収容可能な薄型シート状をしており、綿などの弾力性がある素材を用いて形成されている。
ユーザは、パーソナルコンピュータ３７を収容袋３１内に収容し、収容袋３１の収容口のチャックを閉める。そして、ユーザは、収容袋３１のトッテ３３を、キャリアバック９に固定された緩衝装置１のフック２７に引っ掛ける。このとき、フック２７にロック機構を設け、フック２７からトッテ３３が外れないようにしてもよい。
【００１９】
ユーザは、フック２７に収容袋３１を吊り下げた後に、キャリアバック９の正面側の２つのチャック９ｂ，９ｃを、緩衝装置１の厚み部分を残して閉める。
【００２０】
以上説明したように、緩衝装置１は、バネ２５に取り付けられたフック２７に、パーソナルコンピュータ３７を収容した収容袋３１のトッテ３３を吊り下げる。キャリアバック９が搬送されると、その搬送過程でキャリアバック９に加わった衝撃により、バネ２５が伸縮する。そして、このバネ２５の伸縮により、フック２７に吊り下げられた収容袋３１に加わる衝撃が緩和（軽減）される。
【００２１】
また、緩衝装置１は、キャリアバック９の上面部９ａに着脱可能に装着されるため、一般的なキャリアバックに対して購入後に装着が可能である。また、パーソナルコンピュータ３７などを収容するときにだけ緩衝装置１をキャリアバック９に装着すればよい。
【００２２】
また、緩衝装置１は、非常に簡単な構成で実現でき、安価に製造できる。
【００２３】
＜第２実施形態＞
上述した第１実施形態では、図１に示すように第１の部材１１の下側にバネ２５を配置した場合を例示した。
図３（Ａ）は本実施形態の緩衝装置１０１の正面図、図３（Ｂ）は緩衝装置１０１の側面図である。
【００２４】
図３に示すように、本実施形態の緩衝装置１０１は、第１実施形態の緩衝装置１と同様に、例えば、第１の部材１１１、第２の部材１１３、第３の部材１１５から構成される略コの字形状をしている。
ここで、第１の部材１１１の側面１１１Ｃに当該側面１１１Ｃに直交した２つの凸部１２１，１２３が対向して固定されている。
凸部１２１，１２３には、それぞれバネ１２５の一端と他端が固定されている。
バネ１２５の長手方向の中央付近には、フック１２７が取り付けられている。
【００２５】
緩衝装置１０１によっても、第１実施形態の緩衝装置１と同様の効果が得られる。
また、緩衝装置１０１によれば、第１実施形態に比べてフック１２７を高い位置に設定でき、キャリアバック９内のスペースを有効に使うことができる。
【００２６】
＜第３実施形態＞
図４（Ａ）は本実施形態の緩衝装置２０１の正面図、図４（Ｂ）は緩衝装置２０１の側面図である。
【００２７】
図４に示すように、緩衝装置２０１は、例えば、第１の部材２１１、第２の部材２１３、第３の部材２１５から構成される略コの字形状をしている。
本実施形態では、第１の部材２１１内に下側が開口した中空部があり、その中空部内にバネ２２５が収容されている。
バネ２２５の一端は上記中空部内の一方の内面に固定され、バネ２２５の他端は上記中空部内の他方の内面に固定されている。
バネ２２５の長手方向の中央付近には、フック２２７が取り付けられている。
【００２８】
緩衝装置２０１によっても、第１および第２実施形態の緩衝装置１と同様の効果が得られる。
また、緩衝装置２０１によれば、第１の部材２１１内にバネ２２５が収容されているため全体の大きさを小さくできる。
【００２９】
＜第４実施形態＞
図５は、本発明の第４実施形態に係る緩衝装置３０１の正面図である。
図５に示すように、緩衝装置３０１は、例えば、第１の部材３１１、第２の部材３１３、第３の部材３１５から構成される略コの字形状をしている。
本実施形態では、第１の部材３１１の下側にゴムなどの弾性部材３１７が貼り付けられている。
弾性部材３１７の中央部には、フック３２７が取り付けられている。
【００３０】
緩衝装置３０１では、キャリアバック９に振動が加わると、その振動に応じて弾性部材３１７が弾性変形する。これにより、当該振動が弾性部材３１７によって緩和されてフック３２７に伝達される。
【００３１】
緩衝装置３０１によっても、第１実施形態の緩衝装置１と同様の効果が得られる。
【００３２】
＜第５実施形態＞
図６は、本発明の第５実施形態に係る緩衝装置４０１の正面図である。
図６に示すように、緩衝装置４０１は、例えば、第１の部材４１１、第２の部材４１３、第３の部材４１５から構成される略コの字形状をしている。
本実施形態では、第１の部材４１１の側面に所定の間隔でプーリ４５１，４５３が設けられている。
プーリ４５１，４５３の間にはバネ４２５が配設されている。
バネ４２５の一端には線状体４５７の一端が取り付けられ、バネ４２５の他端には線状体４５７の他端が取り付けられている。
また、線状体４５７は、プーリ４５１，４５３に巻きつけられている。
【００３３】
緩衝装置４０１は、パーソナルコンピュータ３７を収容した収容袋３１のトッテ３３がフック４２７に吊り下げられると、線状体４５７が下方向（重力方向）に押し下げられ、その力がプーリ４５１，４５３を介してバネ４２５の両端を離す方向に作用する。
そして、キャリアバック９に衝撃が加わると、その力はバネ４２５および線状体４５７を介して収容袋３１に加わる。このとき、バネ４２５の弾性力によって当該衝撃は大幅に軽減された後に収容袋３１に加わることになる。
【００３４】
緩衝装置４０１によっても、第１実施形態の緩衝装置１と同様の効果が得られる。
【００３５】
＜第７実施形態＞
図７は、本発明の第７実施形態を説明するための図である。
図７に示すように、パーソナルコンピュータ３７を収容した収容袋５３１を、キャリアバック５０９の内面の異なる複数の箇所に設けられた複数のバネ５２１，５２３，５２５を介して当該内面に保持してもよい。
このように複数のバネ５２１，５２３，５２５を介して収容袋５３１をキャリアバック５０９の内面に保持することで、収容袋５３１がキャリアバック５０９内で大きく振れることがを回避でき、安定した状態でパーソナルコンピュータ３７を保持できる。
【００３６】
なお、キャリアバック５０９内に設けるバネの数は２個あるいは４個以上であってもよい。
【００３７】
＜第８実施形態＞
図８は、本発明の第８実施形態に係るカバン６０９を説明するための図である。
図８に示すように、カバン６０９では、カバン本体とトッテ６３０との両端の接合部にバネ６２５，６２７が介在している。
このようにバネ６２５，６２７を介材させることで、トッテ６３０を持つ手に衝撃が加えられた場合に、その衝撃がバネ６２５，６２７の弾性力によって緩和されてカバン６０９の本体に伝達される。これにより、カバン６０９の本体に収容されたパーソナルコンピュータ等が衝撃で故障することを回避できる。
【００３８】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００３９】
上述した実施形態では、キャリアバック９に対して着脱可能に装着される緩衝装置を例示したが、バネ２５やフック２７等がキャリアバック９の内面に着脱できな形態で固定されていてもよい。
【００４０】
上述した実施形態において、バネの弾性力を調整する手段を設けてもよい。
【００４１】
また、上述した実施形態では、本発明の保持手段としてコの字型の部材を例示したが、これ以外の形状の部材を用いてもよい。
【００４２】
また、上述した実施形態では、収容袋３１内にパーソナルコンピュータ３７を収容した状態でフック２７に吊り下げる場合を例示したが、パーソナルコンピュータ３７にフック２７に吊り下げるためのフックやトッテなどの機能を設けてもよい。
【００４３】
また、上述した実施形態では、フック２７等がバネ２５等に直接的に結合された場合を例示したが、これらが他の何らかの部材を介して結合されていてもよい。
【産業上の利用可能性】
【００４４】
本発明は、搬送時に加わる衝撃を効果的に抑制しながら、カバン内に電子機器を保持できる緩衝装置に適用可能である。
【図面の簡単な説明】
【００４５】
【図１】図１は、本発明の第１実施形態に係る緩衝装置の外観図である。
【図２】図２は、図１に示す緩衝装置をカバンに装着した状態を説明するための図である。
【図３】図３は、本発明の第２実施形態に係る緩衝装置の外観図である。
【図４】図４は、本発明の第３実施形態に係る緩衝装置の外観図である。
【図５】図５は、本発明の第４実施形態に係る緩衝装置の外観図である。
【図６】図６は、本発明の第５実施形態に係る緩衝装置の外観図である。
【図７】図７は、本発明の第６実施形態に係る緩衝装置を説明するための図である。
【図８】図８は、本発明の実施形態に係るカバンを説明するための図である。
【符号の説明】
【００４６】
１，  １０１，２０１，３０１，４０１…  緩衝装置
１１，２１１，３１１，４１１…第１の部材
１３，２１３，３１３，４１３…第２の部材
１５，２１５，３１５，４１５…第３の部材
２５，１２５，２２５…バネ
２７，１２７，２２７，３２７，４２７…フック
【図１】
2009277132.tif 000003
【図２】
2009277132.tif 000004
【図３】
2009277132.tif 000005
【図４】
2009277132.tif 000006
【図５】
2009277132.tif 000007
【図６】
2009277132.tif 000008
【図７】
2009277132.tif 000009
【図８】
2009277132.tif 000010